(57)【要約】【課題】設備費の低減、工事の簡略化による工数減、安全性の向上を図る。【解決手段】橋桁２の左右両側に架設される一対のアーチリブ１を長さ方向に複数に分割して左右一体に構成した所定長さのアーチリブブロックを製作し、まず、アーチリブの一方の架設起点より、アーチリブの長さ方向中央部に位置する予定のアーチリブブロックを所定ストロークだけ押し上げ、次いで、その跡位置に次位のアーチリブブロックを搬入して中央部のアーチリブブロックと接合し、以下この操作を繰返して順次片側半分のアーチリブ１を架設し、同様に、他方の架設起点からも他の片側半分のアーチリブ１を架設し、両アーチリブ１を中央部で閉合し、その後、アーチリブブロックに取り付けた垂直材３で支持をとりながら橋桁２を架設する。【選択図】　　　図２
2004019357.tif 000002
【特許請求の範囲】
【請求項１】
橋桁の左右両側に架設される一対のアーチリブを長さ方向に複数に分割して左右一体に構成した所定長さのアーチリブブロックを製作し、まず、アーチリブの一方の架設起点より、アーチリブの長さ方向中央部に位置する予定のアーチリブブロックを所定ストロークだけ押し上げ、次いで、その跡位置に次位のアーチリブブロックを搬入して中央部のアーチリブブロックと接合し、以下この操作を繰返して順次片側半分のアーチリブを架設し、同様に、他方の架設起点からも他の片側半分のアーチリブを架設し、両アーチリブを中央部で閉合するようにしたことを特徴とするアーチ橋の架設工法。
【請求項２】
前記押し上げ動作中のアーチリブブロックを、自岸側から繰り出した斜吊ケーブルで支持すると共に、同斜吊ケーブルの繰り出し長さを調節することにより、アーチリブブロックを安定姿勢に保持することを特徴とする請求項１記載のアーチ橋の架設工法。
【請求項３】
前記押し上げ動作中のアーチリブブロックの先端を、対岸側から繰り出したケーブルで引き付け、同斜吊ケーブルの繰り出し長さを調節することにより、アーチリブブロックを安定姿勢に保持することを特徴とする請求項１または２記載のアーチ橋の架設工法。
【請求項４】
前記各アーチリブブロックに、アーチリブと橋桁との間に垂設される所定長さの垂直材を予め取り付けたことを特徴とする請求項１〜３のいずれかに記載のアーチ橋の架設工法。
【請求項５】
前記アーチリブの架設が完了した後、前記橋桁を、前記垂直材を取り付けて支持しながら両側の橋桁架設起点より順次架設し、中央部で閉合するようにしたことを特徴とする請求項４記載のアーチ橋の架設工法。
【請求項６】
一方から架設中のアーチリブブロックの先端に形成した突起部を、他方から架設中のアーチリブブロックの先端に形成した開口内に嵌合させることで、両者を仮閉合するようにしたことを特徴とする請求項１〜５のいずれかに記載のアーチ橋の架設工法。
【請求項７】
橋桁の左右両側に架設される一対のアーチリブを構成するために長さ方向に分割して製作したアーチリブブロックを、アーチリブの架設起点において所定ストロークだけ押し上げるワイヤクランプジャッキアップ装置と、押し上げ動作中の前記アーチリブブロックを斜吊ケーブルで支持すると共に同斜吊ケーブルの繰り出し長さをケーブル繰り出し装置で調節することにより押し上げ動作中のアーチリブブロックの姿勢を保持するアーチリブ姿勢保持機構と、アーチリブ架設起点に設置されることで前記ワイヤクランプジャッキアップ装置を支持すると共にアーチリブブロックの押し上げ動作をガイドするアーチリブ受架台とを備えたことを特徴とするアーチ橋の架設装置。
【請求項８】
前記ワイヤクランプジャッキアップ装置内を貫通するワイヤロープの端部に連結され、押し上げ対象のアーチリブブロックの後部に対し着脱可能に連結される盛替台車を備えており、同盛替台車を、ワイヤクランプジャッキアップ装置のジャッキアップ動作によって前記アーチリブ受架台に沿って移動させ、アーチリブブロックを押し上げるようにしたことを特徴とする請求項７記載のアーチ橋の架設装置。
【請求項９】
前記ケーブル繰り出し装置がワイヤクランプジャッキで構成され、該ワイヤクランプジャッキが、ジャッキ内部を貫通する前記斜吊ケーブルに対しての一対のクランプの固着及び固着解除動作と、それに対応した主ジャッキの伸縮動作の組み合わせにより、斜吊ケーブルの繰り出し長さを調整することを特徴とする請求項７または８に記載のアーチ橋の架設装置。
【請求項１０】
前記ケーブル繰り出し装置が電動ウインチで構成され、該伝動ウインチが、前記斜吊ケーブルの端部側を巻回するドラムの回転により、斜吊ケーブルの繰り出し長さを調整することを特徴とする請求項７または８に記載のアーチ橋の架設装置。
【請求項１１】
前記ケーブル繰り出し装置とは別に、押し上げ動作中のアーチリブブロックの先端を、対岸側からケーブルを介して引き付けることにより前記斜吊ケーブルに所定の張力を付与する張力付与装置を設けたことを特徴とする請求項７〜１０のいずれかに記載のアーチ橋の架設装置。
【発明の詳細な説明】
【０００１】
【発明の属する技術分野】
本発明は、主として山岳地域に架設するアーチ橋の架設工法、及び、その工法を実施するために使用するアーチ橋の架設装置に関する。
【０００２】
【従来の技術】
最近の高速道路の建設は、山岳ルートになることが多く、山岳ルートではアーチ系高架橋の建設が増加している。
【０００３】
アーチ橋は、図１６（ａ）、（ｂ）（図１６（ａ）のＤ−Ｄ矢視）にその一例を示すように、両側の基礎６、６間に架設された橋桁２を、基礎５、５間に架設されたアーチリブ１により複数の垂直材３を介して支持した構成で、アーチリブ１は、橋桁２の両側に各一組が架設され、この一対のアーチリブ１を複数の補強材４で補強した構成である。
【０００４】
この種のアーチ橋の架設工事では、特にアーチリブ１の架設が難工事となる。図１７を用いて従来のアーチリブの架設方法を説明する。この方法では、まず、架設地の両側に架設支柱４０を建設し、この架設支柱４０を経由してケーブル４１を張り渡してケーブルクレーン４２を装備し、このケーブルクレーン４２でアーチリブのブロック１ａを運び込み、架設支柱４０から張り出したワイヤー４３でブロック１ａを支持しながら、架設基礎５を起点に各ブロック１ａを順次継ぎ足して架設する。
【０００５】
【発明が解決しようとする課題】
上記したように、従来の架設工法は、架設支柱４０の建設や、ケーブルクレーン４２を装備するためのケーブル４１の張設などの大掛かりな架設工事が必要となり、設備費が高騰する上、継ぎ足したブロック１ａを、アーチ架設が完了するまで各ワイヤー４３で支持しておかなければならず、工事が複雑となって、多大な工数が掛かり、安全性にも難があるなどの課題があった。
【０００６】
本発明は、上記事情を考慮し、設備費を低減することができると共に、工事の簡略化による工数減を図ることができ、しかも安全に工事を進めることのできるアーチ橋の架設工法及び装置を提供することを目的とする。
【０００７】
【課題を解決するための手段】
請求項１の発明のアーチ橋の架設工法は、橋桁の左右両側に架設される一対のアーチリブを長さ方向に複数に分割して左右一体に構成した所定長さのアーチリブブロックを製作し、まず、アーチリブの一方の架設起点より、アーチリブの長さ方向中央部に位置する予定のアーチリブブロックを所定ストロークだけ押し上げ、次いで、その跡位置に次位のアーチリブブロックを搬入して中央部のアーチリブブロックと接合し、以下この操作を繰返して順次片側半分のアーチリブを架設し、同様に、他方の架設起点からも他の片側半分のアーチリブを架設し、両アーチリブを中央部で閉合するようにしたことを特徴とする。
【０００８】
本発明によれば、アーチリブブロックを架設起点から１ストロークずつ順次押し上げることで片側半分のアーチリブを架設し、同様に、他方の架設起点から他の片側半分のアーチリブを架設し、両アーチリブを中央で閉合することによりアーチリブを完成させるので、大掛かりな架設設備が必要でなく、工事の簡略化による工数減と工事の安全を図ることができる。
【０００９】
請求項２の発明のアーチ橋の架設工法は、請求項１において、前記押し上げ動作中のアーチリブブロックを、自岸側から繰り出した斜吊ケーブルで支持すると共に、同斜吊ケーブルの繰り出し長さを調節することにより、アーチリブブロックを安定姿勢に保持することを特徴とする。
【００１０】
本発明によれば、１本の斜吊ケーブルで常時アーチリブブロックの姿勢を適正に保持するので、従来工法のようにワイヤーの盛り替え作業が不要となり、設備費が大幅に低減される上、作業効率が向上し、安全性も向上する。
【００１１】
請求項３の発明のアーチ橋の架設工法は、請求項１または２において、前記押し上げ動作中のアーチリブブロックの先端を、対岸側から繰り出したケーブルで引き付け、同斜吊ケーブルの繰り出し長さを調節することにより、アーチリブブロックを安定姿勢に保持することを特徴とする。
【００１２】
本発明によれば、押し上げ動作中のアーチリブブロックの先端を、対岸側から延ばしたケーブルで引き付けて支持するので、常時アーチリブブロックの姿勢を適正に保持することができ、一層安全性が向上する。
【００１３】
請求項４の発明のアーチ橋の架設工法は、請求項１〜３のいずれかにおいて、前記各アーチリブブロックに、アーチリブと橋桁との間に垂設される所定長さの垂直材を予め取り付けたことを特徴とする。
【００１４】
本発明によれば、予めアーチリブと橋桁の間をつなぐ垂直材をアーチリブブロックに取り付けておくので、橋桁を支持するための工事が楽に行える。
【００１５】
請求項５の発明のアーチ橋の架設工法は、請求項４において、前記アーチリブの架設が完了した後、橋桁を、前記垂直材を取り付けて支持しながら両側の橋桁架設起点より順次架設し、中央部で閉合するようにしたことを特徴とする。
【００１６】
本発明によれば、アーチリブの架設が完了した後に、橋桁を架設するようにしたので、アーチリブに接続されている支持ケーブル類の除去作業を橋桁を介して効率よく行うことができる。
【００１７】
請求項６の発明のアーチ橋の架設工法は、請求項１〜５のいずれかにおいて、一方から架設中のアーチリブブロックの先端に形成した突起部を、他方から架設中のアーチリブブロックの先端に形成した開口内に嵌合させることで、両者を仮閉合するようにしたことを特徴とする。
【００１８】
本発明によれば、一方から架設中のブロック先端に形成した突起部を、他方から架設中のブロック先端に形成した開口内に嵌合させることで、両アーチリブを仮閉合するので、閉合作業を簡単かつ安全に行うことができる。
【００１９】
請求項７の発明のアーチ橋の架設装置は、橋桁の左右両側に架設される一対のアーチリブを構成するために長さ方向に分割して製作したアーチリブブロックを、アーチリブの架設起点において所定ストロークだけ押し上げるワイヤクランプジャッキアップ装置と、押し上げ動作中の前記アーチリブブロックを斜吊ケーブルで支持すると共に同斜吊ケーブルの繰り出し長さをケーブル繰り出し装置で調節することにより押し上げ動作中のアーチリブブロックの姿勢を保持するアーチリブ姿勢保持機構と、アーチリブ架設起点に設置されることで前記ワイヤクランプジャッキアップ装置を支持すると共にアーチリブブロックの押し上げ動作をガイドするアーチリブ受架台とを備えたことを特徴とする。
【００２０】
本発明によれば、アーチリブ受架台に備えたワイヤクランプジャッキアップ装置によってアーチリブブロックを１ストロークずつ押し上げ、その動作中にアーチリブ姿勢保持機構でアーチリブブロックの姿勢を適正に保持することにより、請求項１の発明の架設工法を安全に進めることができる。従って、従来工法のように大掛かりな架設設備が必要でなく、工事の簡略化による工数減と工事の安全を図ることができる。
【００２１】
請求項８の発明のアーチ橋の架設装置は、請求項７において、前記ワイヤクランプジャッキアップ装置内を貫通するワイヤロープの端部に連結され、押し上げ対象のアーチリブブロックの後部に対し着脱可能に連結される盛替台車を備えており、同盛替台車を、ワイヤクランプジャッキアップ装置のジャッキアップ動作によって前記アーチリブ受架台に沿って移動させ、アーチリブブロックを押し上げるようにしたことを特徴とする。
【００２２】
本発明によれば、盛替台車を、ワイヤクランプジャッキアップ装置のジャッキアップ動作によってアーチリブ受架台に沿って移動させることによりアーチリブブロックを押し上げるようにしたので、安全かつ確実に工事を進めることができる。
【００２３】
請求項９の発明のアーチ橋の架設装置は、請求項７または８において、前記ケーブル繰り出し装置がワイヤクランプジャッキで構成され、該ワイヤクランプジャッキが、ジャッキ内部を貫通する前記斜吊ケーブルに対しての一対のクランプの固着及び固着解除動作と、それに対応した主ジャッキの伸縮動作の組み合わせにより、斜吊ケーブルの繰り出し長さを調整することを特徴とする。
【００２４】
本発明によれば、ワイヤクランプジャッキによりアーチリブブロックを支持する斜吊ケーブルの繰り出し長さを調整するようにしたので、架設中のアーチリブブロックを適正な姿勢で保持することができ、安全性が高まる。
【００２５】
請求項１０の発明は、請求項７または８において、前記ケーブル繰り出し装置が電動ウインチで構成され、該伝動ウインチが、前記斜吊ケーブルの端部側を巻回するドラムの回転により、斜吊ケーブルの繰り出し長さを調整することを特徴とする。
【００２６】
本発明によれば、電動ウインチでアーチリブブロックを支持する斜吊ケーブルの繰り出し長さを調整するようにしたので、簡単な操作で架設中のアーチリブブロックを適正な姿勢で保持することができ、安全性が高まる。
【００２７】
請求項１１の発明は、請求項７〜１０のいずれかにおいて、前記ケーブル繰り出し装置とは別に、押し上げ動作中のアーチリブブロックの先端を、対岸側からケーブルを介して引き付けることにより前記斜吊ケーブルに所定の張力を付与する張力付与装置を設けたことを特徴とする。
【００２８】
本発明によれば、対岸側から架設中のアーチリブブロックの先端を支持するので、安全性の向上が図れる。
【００２９】
【発明の実施の形態】
以下、本発明の実施形態の架設工法及び架設装置について図面に参照しながら説明する。
本実施形態の架設工法は、所定長さに分割したアーチリブブロックを架設起点に運び込んで、これを１ストローク分だけ押し上げ、その跡位置に次のブロックを挿入して上位のブロックに接合し、この操作を順次繰返して片側半分のアーチリブを架設し、他方の架設起点からも同様の方法で片側半分のアーチリブを架設し、両者を中央部で閉合してアーチリブを架設し、その後、橋桁を架設するというものである。
【００３０】
本架設工法においては、まず、橋桁の両側に架設される一対のアーチリブを長さ方向に複数に分割し、補強材で一体に構成したアーチリブブロック（以下、単にブロックともいう）を作成する。（後記図７、８参照）。
【００３１】
図１〜図２は、本実施形態の架設工法及び架設装置の説明図である。
本工法では、クローラクレーン１０などを使用して、予め、両側の架設起点にアーチリブ基礎５及び橋桁基礎６を構築し、アーチリブ基礎５側には、アーチ基部１Ａを接続・設置すると共に、仮ベント８を建ててその上にアーチリブ受架台７を設置する。また、橋桁基礎６側には、斜ベント９を建てて橋桁端部２ａを設置し、橋桁端部２ａとアーチ基部１Ａ間に垂直材３を挿設する。これにて架設準備が完了する。
【００３２】
この後、トラックにより最初のアーチリブブロック１ａを運び込み、これをクローラクレーン１０で吊り降して、アーチリブ受架台７上にセットし、その状態でワイヤクランプジャッキアップ装置（後述）を操作して、１ストローク分だけ押し上げる。この最初のアーチリブブロック１ａは、アーチリブの長さ方向中央部に位置させる予定のものである。
【００３３】
次いで、トラックにより次のアーチリブブロック１ａを運び込み、上位のブロック１ａがワイヤクランプジャッキアップ装置（後述）により１ストロークだけ押し上げられたアーチリブ受架台７上の跡位置に、吊り降ろしたブロック１ａを挿入し、上位のブロック１ａと接合した後、同様に１ストローク分だけ押し上げる。
【００３４】
なお、先頭のブロック１ａは、アーチリブ姿勢保持機構１５を構成する橋桁上のケーブル繰り出し装置１７に接続した斜吊ケーブル１６で支持しておく。そして、この斜吊ケーブル１６により、上記のブロック押し上げ動作中を含め、架設中のブロック１ａの姿勢を制御して適切に保持する。
【００３５】
図３は、アーチリブ基礎５周辺の詳細を示している。アーチリブ基礎５にはアーチリブ受架台７が設置されている。このアーチリブ受架台７は、仮ベント８及び橋桁端部２ａに接続した支持ワイヤー１１により、一定の姿勢に支持されている。このアーチリブ受架台７内には、１本のアーチリブブロック当たり２組、合計４組のワイヤクランプジャッキアップ装置１２が装備されている（後記図７参照）。また、各アーチリブブロック１ａには、予めその両端部に、他のブロック１ａと接合（ボルト接合）するための接合部１８が形成されている。また、各アーチリブブロック１ａには、最終的な配置位置に応じて長さの異なる垂直材３が取り付けられている。この垂直材３は、アーチリブと橋桁との間をつなぐものである。
【００３６】
各ワイヤクランプジャッキアップ装置１２は、図４に示すように、装置内部を貫通するワイヤロープ１３と、このワイヤロープ１３に対して固着または固着解除が可能な上クランプ１２ｂ及び下クランプ１２ｃと、主ジャッキ１２ａとにより構成されている。このワイヤクランプジャッキアップ装置１２には、ワイヤロープ１３の端部に連結された盛替台車１４（後記図６参照）が付設されており、上下のクランプ１２ｂ、１２ｃを交互にワイヤロープ１３と固着させ、その固着動作に対応して主ジャッキ１２ａを作動させることにより、ワイヤロープ１３を間欠上昇させることができ、盛替台車１４をアーチリブブロック１ａと連結することにより、アーチリブブロック１ａを間欠的に押し上げることができるようになっている。
【００３７】
アーチリブ受架台７は、図５に示すような骨組構造を有しており、一対のアーチリブブロック１ａ及び４組のワイヤクランプジャッキアップ装置１２を設置するための内部スペースを有している。
【００３８】
図６、図７（図６のＡ−Ａ矢視図）、図８（図６のＢ−Ｂ矢視図）、図９（図７のＣ−Ｃ矢視図）は、アーチリブ受架台７内におけるワイヤクランプジャッキアップ装置１２の配置、及び、アーチリブブロック１ａとの係合状況を示したものである。図示するように、各ワイヤクランプジャッキアップ装置１２は、それぞれ支持レール２２に取付けられる。
【００３９】
盛替台車１４は、ブロック１ａと連結されてこれを支持する支持材１４ａ（台車２台に共通）、支持材１４ａを介してブロック１ａを支持し、ガイドレール２３上を移動する移動台１４ｂ、支持材１４ａに取り付けられたワイヤロープ１３との連結部１４ｃ、台車固定治具２０との連結部１４ｄなどより構成され、支持材１４ａを介してブロック１ａと連結され、ジャッキアップ装置１２の作動によりブロック１ａを押し上げることができ、また、連結を解除して元の位置へ戻ることができる。
【００４０】
また、図６における台車固定治具２０は、挿入された下位ブロックとの接合をし易くするため、押し上げたブロック１ａの位置を固定するもので、支持レール２２に取り付けられており、盛替台車１４と連結部２０ｄを介してピン２１で連結される。
【００４１】
図１０（ａ）、（ｂ）は、両架設起点からそれぞれ架設された片側半分のアーチリブ同士の閉合方法を示したもので、図のように、予め、一方のブロック１ａ先端に突起部１９を形成しておき、この突起部１９を他方のブロック１ａ先端に形成した開口１ｂ内に嵌合させて両者を仮閉合するようにしたもので、この状態で橋桁２を架設し、その後仮閉合部を正規の方法で閉合する。
【００４２】
また図１１は、架設中のアーチリブの他の支持方法を示したもので、前記したように、ケーブル繰り出し装置１７から繰り出した斜吊ケーブル１６でアーチリブを支持するアーチリブ姿勢保持機構１５による方法の外に、別途設置した張力付与装置２７から繰り出したケーブル２６を対岸側のアーチリブの先端に繋ぎ、所定の張力を付与する。アーチリブ姿勢保持機構１５とこの張力付与機構とにより、より安定した押し上げ動作や接合工事が可能となる。
【００４３】
図１３は、アーチリブ姿勢保持機構１５の一具体例を示す。図示するように、本例では、ケーブル繰り出し装置１７Ａをワイヤクランプジャッキ３１で構成しており、シーブ３６を経由した斜吊ケーブル１６の基端側を、ワイヤクランプジャッキ３１内を貫通させている。このワイヤクランプジャッキ３１によれば、斜吊ケーブル１６に対して、内蔵する上・下クランプを交互に固着または固着を解除させ、この固着動作に対応して内蔵する主ジャッキを作動させることにより、斜吊ケーブル１６の繰り出し及び引き込みを行う。
【００４４】
図１２（ａ）〜（ｄ）は本発明に係るアーチリブ架設手順を示す。同図を参照して本架設工法を説明する。
クローラクレーン１０により、まず、最初のアーチリブブロック、即ち、架設完了時点で中央部に位置する予定のアーチリブブロック１ａをアーチリブ受架台７内に挿入・設置した後、ケーブル繰り出し装置１７の斜吊ケーブル１６をアーチリブブロック１ａに接続し、ブロック１ａを支持する。この時、ワイヤクランプジャッキアップ装置１２はアーチリブ受架台７の先端部に設置され、盛替台車１４はワイヤロープ１３が伸長されることで受架台７の後端側にある。この状態でアーチリブブロック１ａを挿入し、その後、ブロック１ａの端部と盛替台車１４の支持材１４ａを連結する（ａ図・図６参照）。
【００４５】
次いで、ワイヤクランプジャッキアップ装置１２を作動して、ブロック１ａをアーチリブ受架台７内を１ストロークだけ押し上げる。この際、ケーブル繰り出し装置１７を作動して斜吊ケーブル１６の繰り出し長さを調整し、ブロック１ａの姿勢を制御しながら押し上げ操作を行う（ｂ図）。
【００４６】
ブロック１ａが１ストローク押し上げられたら、台車固定治具２０を盛替台車１４に取り付け（ピン結合）、同治具２０をアーチリブ受架台７の支持レール２２に取り付けて、ブロック１ａを仮固定（図６参照）し、次いで、アーチリブ受架台７内のブロック１ａを押し上げた跡位置に、クローラクレーン１０で次位のブロック１ａを挿入し、上位（中央部）のブロック１ａと接合部１８で接合（ボルト接合）する。
【００４７】
次いで、台車固定治具２０を盛替台車１４及びアーチリブ受架台７から取り外した後、ワイヤクランプジャッキアップ装置１２を作動して、接合されたブロック１ａを少し降下させ、ブロック１ａの後端部をアーチ基部１Ａと接触・支持させて、接合部１８を介して仮接合する（ｃ図→ｄ図）。
【００４８】
次いで、盛替台車１４とブロック１ａとの連結を解除し、ワイヤクランプジャッキアップ装置１２を作動し、ワイヤロープ１３を伸長して、盛替台車１４をガイドレールに沿って１ストロークだけ移動させた後、次位ブロック１ａの後端部と連結する（ｄ図）。
【００４９】
この後、アーチ基部１Ａとの仮接合を解除し、以下、上記図（ａ）〜（ｄ）の手順を繰返して、片側半分のアーチリブを架設する。
【００５０】
図１に示すように、他方の架設起点からも同様の手順で他方の片側半分のアーチリブを架設し、両アーチリブを中央部で閉合する。この場合、図１０（ａ）、（ｂ）に示すように、一方のアーチリブブロック１ａの先端に形成した突起部１９を、他方のアーチリブブロック１ａの先端に形成した開口１ｂ内に嵌合させて両者を仮閉合する。
【００５１】
中央部での仮閉合が終わったら、最下位ブロック１ａをアーチ基部１Ａと正式に接合し、アーチリブ１の架設が完了する。
【００５２】
なお、アーチリブブロック１ａを押し上げる際、図１１に示すように、ケーブル繰り出し装置１７とは別途に設けた張力付与装置２７から繰り出したケーブル２６を、対岸側のアーチリブの先端に繋ぎ、所定の張力を付与することも可能であり、この手段によってアーチリブブロック１ａをより安全に押し上げることができる。
【００５３】
アーチリブ１の架設が完了したら、各アーチリブブロック１ａに予め取付けられている垂直材３を取り付けながら、橋桁２を両側の橋桁架設起点より順次架設していき、両者を中央部で閉合し、橋桁２の架設が完了する。この後、仮閉合されているアーチリブ１の中央部を正式に接合し、アーチ橋の架設が完了する。
【００５４】
上記したように、本発明のアーチ橋の架設工法によると、アーチリブ１を複数に分割したブロック１ａを予め製作し、このブロック１ａを、両岸の架設起点からワイヤクランプジャッキアップ装置１２で押し上げ、架設起点に設けたアーチリブ受架台７上で順次接合してそれぞれ片側半分を架設し、両者を中央部で閉合してアーチリブ１を架設し、この後、アーチリブ１を接合・支持しながら橋桁２を架設するようにしたので、従来工法のような大掛かりな架設設備が必要でなくなる。また、アーチリブ姿勢保持機構１５の１本の斜吊ケーブル１６で常時アーチリブブロック１ａの姿勢を安定保持するようにしたので、従来工法のようにワイヤーの盛り替え作業が不要となり、設備費が大幅に低減される上、作業効率が向上し、安全性も向上する。
【００５５】
この際、ワイヤクランプジャッキ３１で構成したケーブル繰り出し装置１７Ａにより、アーチリブ１の姿勢を常時適正に保持するようにしたので、ブロック１ａの押し出し、接合を安全かつ確実に行うことができ、また、一方から架設中のブロック１ａの先端に形成した突起部１９を、他方から架設中のブロック１ａの先端に形成した開口１ｂ内に嵌合させ、両者を仮閉合した後、橋桁２を架設するようにしたので、アーチリブに接続されている斜吊ケーブル１６や支持ワイヤー１１などの除去作業を、橋桁２を介して効率よく行うことができ、更に、別途設けた張力付与装置２７から繰り出したケーブル２６を、架設中のアーチリブ１の先端に繋ぎ、所定の張力を付与することにより、より安全にアーチリブ１の架設を行うことができるなどの効果がある。
【００５６】
なお、アーチリブ姿勢保持機構１５を構成するケーブル繰り出し装置として、図１４に示すようなケーブル繰り出し装置１７Ｂを使用することもできる。このケーブル繰り出し装置１７Ｂは、電動ウインチ３２を使用したもので、ドラム３２ｃに、シーブ３６を経由して斜吊ケーブル１６を巻回している。
【００５７】
この電動ウインチ式のケーブル繰り出し装置１７Ｂを使用した場合、アーチリブブロックの押し上げを開始した際に、この押し上げ動作に応じてモータ３２ａ及びブレーキ３２ｂを作動することにより、ドラム３２ｃに巻回された斜吊ケーブル１６の繰り出しまたは引き込みを行い、アーチリブブロックの姿勢を常時適正に保持する。これにより、アーチリブブロックの押し出し、接合を安全かつ確実に行うことができる。なお、本例のケーブル繰り出し装置１７Ｂは、特に比較的軽重量のアーチリブブロックに対して好適である。
【００５８】
また、アーチリブ姿勢保持機構１５を構成するケーブル繰り出し装置として、図１５に示すようなケーブル繰り出し装置１７Ｃを使用することもできる。このケーブル繰り出し装置１７Ｃは、油圧ジャッキアップ装置３３を使用したものである。
【００５９】
油圧ジャッキアップ装置３３は、油圧ジャッキ３３ａと、一対の左クランプ３３ｂ及び右クランプ３３ｃよりなり、ピン孔３５が定ピッチに形成されたガイド架台３４内に装着されており、ピン孔３５に対して一対のクランプ３３ｂ、３３ｃを交互に入り抜きさせる共に、この入り抜き動作に応じて油圧ジャッキ３３ａを伸縮動作させることにより、ガイド架台３４内を間欠移動させることができ、それにより、一方のクランプ（図では右クランプ３３ｃ）にシーブ３６を経由して接続した斜吊ケーブル１６を、繰り出したり、あるいは引き込んだりできるようになっている。
【００６０】
この油圧ジャッキアップ式のケーブル繰り出し装置１７Ｂを使用した場合、アーチリブブロックの押し上げを開始した際に、この押し上げ動作に応じて油圧ジャッキアップ装置３３を作動し、同装置３３をガイド架台３４内で間欠移動させて斜吊ケーブル１６の繰り出しまたは引き込みを行い、アーチリブブロックの姿勢を常時適正に保持する。これにより、アーチリブブロックの押し出し、接合を安全かつ確実に行うことができる。なお、このケーブル繰り出し装置１７Ｃは、特に比較的大重量のアーチリブブロックに対して好適である。
【００６１】
【発明の効果】
以上説明したように、請求項１の発明によれば、大掛かりな架設設備を必要としないで工事できる上、工事内容の簡略化による工数減と工事の安全を図ることができる。
【００６２】
請求項２の発明によれば、従来工法のようにワイヤーの盛り替え作業が不要であり、設備費の大幅な低減と、作業効率及び安全性の向上が図れる。
【００６３】
請求項３の発明によれば、常時アーチリブブロックの姿勢を適正に保持することができ、安全性が向上する。
【００６４】
請求項４の発明によれば、橋桁を支持するための工事が楽に行える。
【００６５】
請求項５の発明によれば、アーチリブに接続されている支持ケーブル類の除去作業を橋桁を介して効率よく行うことができるので、工期短縮を図ることができる。
【００６６】
請求項６の発明によれば、突起部と開口の嵌合により両アーチリブを仮閉合するので、閉合作業が簡単かつ安全にできる。
【００６７】
請求項７の発明によれば、請求項１の発明の架設工法を安全に進めることができ、従来工法のように大掛かりな架設設備を必要とせずに、工事の簡略化による工数減と工事の安全を図ることができる。
【００６８】
請求項８の発明によれば、盛替台車でアーチリブブロックを支持しながら押し上げるようにしたので、安全かつ確実に工事を進めることができる。
【００６９】
請求項９の発明によれば、ワイヤクランプジャッキによってブロック支持用の斜吊ケーブルの長さを調整するようにしたので、比較的大重量のアーチリブブロックの架設に効力を発揮することができる。
【００７０】
請求項１０の発明によれば、電動ウインチによってブロック支持用の斜吊ケーブルの長さを調整するようにしたので、比較的軽重量のアーチリブブロックの架設に効力を発揮することができる。
【００７１】
請求項１１の発明によれば、対岸側から架設中のアーチリブブロックの先端を支持するようにしたので、一層安全性の向上が図れる。
【図面の簡単な説明】
【図１】本発明の実施形態のアーチ橋の架設工法及び装置の全体説明図である。
【図２】同架設工法及び装置の要部説明図である。
【図３】同架設工法及び装置の要部説明図である。
【図４】同架設工法に用いるワイヤクランプジャッキアップ装置の外形図である。
【図５】同架設工法に用いるアーチリブ受架台の側面図である。
【図６】同架設装置の主要部配置図である。
【図７】図６のＡ−Ａ矢視図である。
【図８】図６のＢ−Ｂ矢視図である。
【図９】図７のＣ−Ｃ矢視図
【図１０】同架設工法におけるアーチリブ中央部の閉合方法を示す図であって、（ａ）は閉合前の状態、（ｂ）は閉合後の状態を示す図である。
【図１１】同架設工法におけるアーチリブ架設時の姿勢保持方法を示す図である。
【図１２】（ａ）〜（ｄ）はアーチリブの架設手順を示す図である。
【図１３】アーチリブ姿勢保持機構の第１例を示す構成図で、（ａ）は側面図、（ｂ）は平面図である。
【図１４】アーチリブ姿勢保持機構の第２例を示す構成図で、（ａ）は側面図、（ｂ）は平面図である。
【図１５】アーチリブ姿勢保持機構の第３例を示す構成図で、（ａ）は側面図、（ｂ）は平面図、（ｃ）は正面図である。
【図１６】従来の架設工法の説明図で、（ａ）は側面図、（ｂ）は（ａ）のＤ−Ｄ矢視図である。
【図１７】従来の架設工法の説明図である。
【符号の説明】
１　アーチリブ
１ａ　アーチリブブロック
１ｂ　開口
２　橋桁
３　垂直材
７　アーチリブ受架台
１２　ワイヤクランプジャッキアップ装置
１３　ワイヤロープ
１４　盛替台車
１５　アーチリブ姿勢保持機構
１６　斜吊ケーブル
１７，１７Ａ，１７Ｂ，１７Ｃ　ケーブル繰り出し装置
１９　突起部
２６　張力付与ケーブル
２７　張力付与装置
３１　ワイヤクランプジャッキ
３２　電動ウインチ
３３　油圧ジャッキアップ装置
【図１】
2004019357.tif 000003
【図２】
2004019357.tif 000004
【図３】
2004019357.tif 000005
【図４】
2004019357.tif 000006
【図５】
2004019357.tif 000007
【図６】
2004019357.tif 000008
【図７】
2004019357.tif 000009
【図８】
2004019357.tif 000010
【図９】
2004019357.tif 000011
【図１０】
2004019357.tif 000012
【図１１】
2004019357.tif 000013
【図１２】
2004019357.tif 000014
【図１３】
2004019357.tif 000015
【図１４】
2004019357.tif 000016
【図１５】
2004019357.tif 000017
【図１６】
2004019357.tif 000018
【図１７】
2004019357.tif 000019